(57)【要約】【課題】既存の照明器具を流用せずに引掛けシーリングボディに直接取り付けることができるＬＥＤランプを提供する。【解決手段】直流電源内蔵の商用電源直結型ＬＥＤランプ本体と引掛シーリングキャップを備えたＬＥＤランプであって、前記引掛シーリングキャップの引掛刃から前記商用電源直結型ＬＥＤランプ本体に給電する。【選択図】図１
2015232925.tif 000002
【特許請求の範囲】
【請求項１】
直流電源内蔵の商用電源直結型ＬＥＤランプ本体と引掛シーリングキャップを備えたＬＥＤランプであって、前記引掛シーリングキャップの引掛刃から前記商用電源直結型ＬＥＤランプ本体に給電することを特徴とするＬＥＤランプ。
【請求項２】
前記ＬＥＤランプ本体が直管形であり、前記引掛シーリングキャップが前記ＬＥＤランプ本体の背面中央に設けられたことを特徴とする請求項１に記載のＬＥＤランプ。
【請求項３】
前記引掛シーリングキャップが前記ＬＥＤランプ本体に取付角度調整機構を介して設けられたことを特徴とする請求項１又は２に記載のＬＥＤランプ
【発明の詳細な説明】
【技術分野】
【０００１】
本発明は、引っ掛けシーリングボディに直接取り付け可能なＬＥＤランプに関するものである。
【背景技術】
【０００２】
近年ＬＥＤに関する技術の進展により、白熱電球や蛍光灯などの既存の光源をＬＥＤランプに交換する動きが広がっている。既存の光源をＬＥＤランプに交換することにより、光源の長寿命化と省エネルギー化が可能となるからである。
【０００３】
既存の一般蛍光灯（直管形蛍光管）にはグロースタート式（ＦＬ）、ラピッドスタート式（ＦＬＲ）、インバータ式（Ｈｆ、ＦＨＲ）の３種類があるが、これらは交流１００Ｖを受けた安定器から始動電圧が蛍光管に供給されることにより発光する仕組みである。一方ＬＥＤランプは直流電源で発光するため、既存の蛍光灯をＬＥＤランプに置き換えるためには、（１）器具全体を交換するか、器具内部の点灯回路をＬＥＤランプ用に改造する方法、（２）蛍光灯に模したＬＥＤランプの内部に交流を直流に変換する電源部を配置し、蛍光管のみをＬＥＤランプと置き換える方法がある。
【０００４】
前者の方法では、外部に別途電源部を設置するために配線変更他の電気工事が必要となり、一般消費者が容易に交換することはできない。一方後者の方法では外形、電極端子などを既存の蛍光器具に適合させたＬＥＤランプを従来の蛍光管と交換するだけで済むため、先の方法よりも一般消費者が導入し易いというメリットがあり、いくつかの技術が提案されている（特許文献１〜３を参照）。
【先行技術文献】
【特許文献】
【０００５】
【特許文献１】特開２０１０−９２９９０号広報
【特許文献３】特開２０１１−１３８６３８号広報
【特許文献２】特開２０１２−７４２９８号広報
【発明の概要】
【発明が解決しようとする課題】
【０００６】
しかしながら、既存の蛍光灯器具は、ＬＥＤランプと組み合わせて使用することを想定しているとはいえない。したがって既存の照明器具を流用して蛍光管をＬＥＤランプに交換する方法では、器具内の安定器や電気配線の劣化、器具の改造の影響等により不点灯やチラツキなど様々な問題が発生することがある。
【０００７】
そこで、本発明は既存の照明器具を流用せずに引掛けシーリングボディに直接取り付けることができるＬＥＤランプを提供することを目的としている。
【課題を解決するための手段】
【０００８】
上記目的を達成するために、第１の本発明に係るＬＥＤランプは、直流電源を内蔵したＬＥＤランプ本体に引掛シーリングキャップを備えた構造とした。
【０００９】
すなわち、第１の本発明は、直流電源内蔵の商用電源直結型ＬＥＤランプ本体と引掛シーリングキャップを備えたＬＥＤランプであって、前記引掛シーリングキャップの引掛刃から前記商用電源直結型ＬＥＤランプ本体に給電することを特徴とするＬＥＤランプである。
【００１０】
第1の本発明のＬＥＤランプは既存の照明器具を流用することなく、天上他に予め設備された照明用の引掛シーリングボディに直接取り付けることができる。
これにより、既存の照明器具の劣化に影響されることなく、電気工事不要で簡単にＬＥＤランプが取り付けられる。引掛シーリングキャップは必ずしもＬＥＤランプ本体に直接設けられる必要はなく、電源コードやＬＥＤランプの吊架手段を介して設けられてもよい。
【００１１】
さらに第２の本発明は、第１の本発明において前記ＬＥＤランプ本体が直管形であり、前記引掛シーリングキャップが前記ＬＥＤランプ本体の背面中央に設けられたことを特徴とするＬＥＤランプである。
【００１２】
ＬＥＤランプ本体が直管形で背面中央に引掛シーリングキャップがあることから、従来の直管形蛍光灯器具を取り外すだけで、容易にＬＥＤランプと交換ができる。
【００１３】
さらに第３の本発明は、第１または第２の本発明において、前記引掛シーリングキャップが前記ＬＥＤランプ本体に取付角度調整機構を介して設けられたことを特徴とするＬＥＤランプである。
【００１４】
引掛シーリングキャップがＬＥＤランプ本体に取付角度調整機構を介して設けられているので、ＬＥＤランプの照明位置を調整することができる。また、引掛シーリングボディを複数備えた引掛シーリングキャップ付アダプタを準備すれば、天上他に設置された１か所の引掛シーリングボディに複数の本発明に係るＬＥＤランプを取り付けることができるが、その際ＬＥＤランプの照明位置の調整が各々のＬＥＤランプ毎にできることになる。
【００１５】
取付角度調整機構としては、自在継手やボールとソケットの組み合わせ等が考えられる。
【発明の効果】
【００１６】
本発明のＬＥＤランプよれば、容易に引掛シーリングボディに取り付けることができる。
【図面の簡単な説明】
【００１７】
【図１】本発明の一実施例に係るＬＥＤランプの外観図である。
【図２】同ＬＥＤランプの取付角度調整機構部分の拡大図である。
【図３】同ＬＥＤランプの回路ブロック図である。
【図４】本発明の他の実施例に係るＬＥＤランプの外観図である。
【発明を実施するための形態】
【００１８】
以下、本発明の実施例について添付図面を参照して説明する。
【実施例】
【００１９】
図１〜図４は発明の実施例を示すものであって、図中、同一の符号を付した部分は同一物を表わしている。
【００２０】
先ず、図１を用いて、本発明に係るＬＥＤランプの一実施例の構成を説明する。図１は、ＬＥＤランプ１が天井４０に設けられた引掛シーリングボディ２２にＬＥＤランプ本体１０に設けられた引掛シーリングキャップ２０により取り付けられる様を示している。引掛シーリングボディ２２には後述のように商用電源５０が接続されており、引掛刃２４からＬＥＤランプ本体１０に電源が供給されるとともに、引掛シーリングボディ２２と引掛シーリングキャップ２０の係合により、ＬＥＤランプ１が天井４０に支持される。
【００２１】
ＬＥＤランプ１は引掛シーリングボディ２２に直接支持されるので、従来の蛍光灯器具を流用する必要がない。
【００２２】
図２はＬＥＤランプ１の取付角度調整機構３０部分の拡大図である。引掛シーリングキャップ２０の下部に設けられた凸球部３２が、ＬＥＤランプ本体１０に設けられた凹球部３４に嵌めこまれることで、引掛シーリングキャップ２０とＬＥＤランプ本体１０が回動自在に連結されている。これにより、ＬＥＤランプ１の取り付け角度を調整することができる。
【００２３】
図３は、ＬＥＤランプ１の回路ブロック図である。商用電源５０が接続された引掛シーリングボディ２２と引掛シーリングキャップ２０が嵌合し、直流電源部１２に交流電流が供給される。直流電源部１２で直流に変換された電流はＬＥＤ基板部１４に流れて、その内部に配置された複数のＬＥＤを発光させる。
既設の蛍光灯器具を流用してＬＥＤランプを設置する場合のように既設の蛍光灯器具の配線や安定器を使用する必要がなく、配線が簡単である。
また、既設の蛍光灯器具の劣化によってＬＥＤランプが不点灯になる恐れがない。
【００２４】
図4は、本発明の他の実施例に係るＬＥＤランプの外観図である。ボール型のＬＥＤランプ本体１０が、引掛シーリングキャップ２０に接続された支持コード６０により天井に吊下げられるタイプのＬＥＤランプである。直管型蛍光灯器具を取り外せば、その場所で簡単にボール型のＬＥＤランプに取り換えることができる。
【符号の説明】
【００２５】
１    ＬＥＤランプ
１０  ＬＥＤランプ本体
１２  直流電源部
１４  ＬＥＤ基板部
２０  引掛シーリングキャップ
２２  引掛シーリングボディ
２４  引掛刃
３０  取付角度調整機構
３２  凸球部
３４  凹球部
４０  天井
５０  商用電源    
６０  支持コード  
【図１】
2015232925.tif 000003
【図２】
2015232925.tif 000004
【図３】
2015232925.tif 000005
【図４】
2015232925.tif 000006